(57)【要約】  露光ヘッドの位置ずれや組み立て誤差による表示ムラがなく、表示品質に優れた液晶表示装置を提供する。  液晶表示装置１は、互いに対向するように貼り合わされるカラーフィルタ２及びＴＦＴ基板３と、これらの間に形成される隙間に封入される液晶（図示せず）とを備える。カラーフィルタ２は、基板４と、基板４上に設けられるブラックマトリクス５と、各画素位置においてブラックマトリクス５と部分的に重なり合う複数の着色層６及び７とを含む。着色層６及び７とブラックマトリクス５との重なりにより形成されるリッジ１８ａ及び２８ａの頂点の各々がＹ軸方向に連なる上端縁１９ａ及び２９ａがＴＦＴ基板３の遮光部１０ａによって遮光される領域に配置されている。
2010125824.tif 000002
【特許請求の範囲】
【請求項１】
第１の方向及びこれと直交する第２の方向に複数の画素が配列される液晶表示装置であって、
基板に、遮光層と、少なくとも前記第１の方向において前記遮光層と部分的に重なる複数の着色層とが形成されたカラーフィルタと、
前記遮光層と対向するように配置され、前記第２の方向に延びる複数の遮光部を有するＴＦＴ基板と、
前記カラーフィルタと前記ＴＦＴ基板との間に封入される液晶とを備え、
前記着色層と前記遮光層とが前記第１の方向に重なることによって前記第２の方向に延びるリッジが形成され、
前記リッジの少なくとも上端縁が遮光部によって遮光される、液晶表示装置。
【請求項２】
前記着色層と前記遮光層とが前記第１の方向において重なり合う部分の全体が前記遮光部によって遮光される領域に設けられる、請求項１に記載の液晶表示装置。
【請求項３】
前記第１の方向における前記遮光部の幅が前記第１の方向における前記遮光層の幅より大きい、請求項１に記載の液晶表示装置。
【請求項４】
前記第１の方向における前記遮光部の幅と前記第１の方向における前記遮光層の幅との差が、４μｍ以上、かつ、８μｍ以下である、請求項３に記載の液晶表示装置。
【請求項５】
所定数の画素列を含む第１の領域では、前記第１の重なり幅で、前記着色層と前記遮光層とが前記第１の方向に重なり、
前記第１の領域と前記第１の方向に隣接し、所定数の画素列を含む第２の領域では、前記第１の重なり幅と異なる第２の重なり幅で、前記着色層と前記遮光層とが前記第１の方向に重なる、請求項１に記載の液晶表示装置。
【請求項６】
前記第１の方向における前記遮光部の幅と、前記遮光部によって遮光されている一対のリッジの上端縁の間隔との差が８μｍ以上である、請求項１に記載の液晶表示装置。
【請求項７】
前記遮光層の厚みが前記第１の方向の外側に向かうにつれて減少する、請求項１に記載の液晶表示装置。
【発明の詳細な説明】
【技術分野】
【０００１】
本発明は、カラーフィルタと薄膜トランジスタ（ＴＦＴ）基板との間に液晶を封入した液晶表示装置に関するものである。
【背景技術】
【０００２】
液晶表示装置に用いられるカラーフィルタは、基板上に、画素を構成する赤・緑・青の３色の着色層と、各画素間に設けられて光を遮断するブラックマトリクスとを備える。このカラーフィルタと対向するように、複数の薄膜トランジスタ（画素電極、半導体よりなるスイッチング素子、絶縁膜層を含む）と、ソース配線及びゲート配線を有するＴＦＴ基板が配置され、両者の間には液晶が封入される。【０００３】
カラーフィルタの製造工程では、フォトリソグラフィー法によって着色層及びブラックマトリクスをパターニングするが、この際、小型のフォトマスクを複数用いる露光方法（以下、「小型マスク連続露光方式」という）が採用される場合がある。【０００４】
図６は、カラーフィルタ製造工程における露光方法を示す模式図であって、小型マスク連続露光方式を説明するための図である。【０００５】
小型マスク露光方式で用いる露光装置では、基板９４より小さなマスクを有する複数の露光ヘッド９０が複数行に並べて配置される。各フォトマスクに形成されたマスクパターンのピッチが一定となるように、隣接する露光ヘッド９０の間には他の行の露光ヘッド９０が隙間なく配置されている。【０００６】
このように整列した複数の露光ヘッド９０に対して、フォトレジストを塗布した基板９４をＹ軸正方向（図の矢印方向）に移送しながら、複数回露光処理を繰り返すことによって、基板９４の全面に渡ってパターンを焼き付けることができる。
【先行技術文献】
【特許文献】
【０００７】
【特許文献１】特開２００７−１２１３４４号公報
【特許文献２】特開２００８−２１６５９３号公報
【発明の概要】
【発明が解決しようとする課題】
【０００８】
カラーフィルタの着色パターンを上記の小型マスク連続露光方式で行う場合、露光ヘッド９０のつなぎ部分で露光された部分（図６の二点鎖線近傍。以下、この箇所のことも「つなぎ部分」という）には、露光ヘッド９０の位置ずれによって着色パターンの形成ムラが生じるという問題がある。【０００９】
図７は、従来の液晶表示装置の概略構成の一例を示す断面図である。尚、図７において、二点鎖線は図６に示した二点鎖線のいずれか１つに対応し、基板上のつなぎ部分の位置を表す。二点鎖線の左側に示されるカラーフィルタの一部と、二点鎖線の右側に示されるカラーフィルタの一部とは、それぞれ異なる露光ヘッドによって露光されたものである。【００１０】
従来の液晶表示装置９１は、互いに対向するように配置されるカラーフィルタ９２とＴＦＴ基板９３とを備える。カラーフィルタ９２の基板９４上には、ブラックマトリクス９５ａ及び９５ｂと、着色層９６ａ、９６ｂ、９７ａ及び９７ｂとが形成され、ＴＦＴ基板９３を構成する基板９９上には、ブラックマトリクス９５ａ及び９５ｂと対向するように配置される遮光部１００ａ及び１００ｂが形成されている。これらの遮光部１００ａ及び１００ｂは、ＴＦＴ基板９３上に設けられる薄膜トランジスタに接続される金属配線が形成される領域である。【００１１】
まず、つなぎ部分（二点鎖線）より左側の画素領域において、基板９４上の各画素位置に形成される着色層９６ａ及び９７ａは、いずれもブラックマトリクス９５ａと部分的に重なり合うように形成されている。着色層９６ａがブラックマトリクス９５ａに重なることで、上端縁１１９ａを頂点とするリッジ１１８ａ（図の太線部分）が形成され、着色層９７ａがブラックマトリクス９５ａに重なることで、上端縁１２９ａを頂点とするリッジ１２８ａが形成される。尚、上端縁１１９ａ及び１２９ａは、Ｙ軸方向に線上に連なっている。また、着色層９６ａとブラックマトリクス９５ａとの重なり部分のオーバーラップ幅はＷ91であり、着色層９７ａとブラックマトリクス９５ａとの重なり部分のオーバーラップ幅はＷ92である。【００１２】
次に、つなぎ部分（二点鎖線）より右側の画素領域においても、基板９４上の各画素位置に形成される着色層９６ｂ及び９７ｂは、いずれもブラックマトリクス９５ｂと部分的に重なり合うように形成されている。同様に着色層９６ｂ及び９７ｂがブラックマトリクス９５ｂに重なることで、各々、上端縁１１９ｂを頂点とするリッジ１１８ｂと、上端縁１２９ｂを頂点とする１２８ｂとが形成される。着色層９６ｂとブラックマトリクス９５ｂとの重なり部分のオーバーラップ幅はつなぎ部分より左側の画素領域と同様にＷ91であるが着色層９７ｂを露光する際に露光ヘッドの位置ずれが生じたため、着色層９７ａとブラックマトリクス９５ａとの重なり部分のオーバーラップ幅はＷ93（＜Ｗ92）である。更に、上端縁１２９ｂが遮光部１００ｂに遮光される領域の外側に位置している。【００１３】
着色層とブラックマトリクスとの重なり部分のオーバーラップ幅がつなぎ部分の両側で異なる場合、つなぎ部分の左側を透過する光Ｌ９１と右側を透過する光Ｌ９２との出方が異なる。更に、上端縁１１９ｂが遮光部の遮光領域の外側に位置する場合、光Ｌ９２は上端縁１１９ｂを経由する。この結果、つなぎ部分の左側を透過する光Ｌ９１と右側を透過する光Ｌ９２との出方の差は更に大きくなる。このつなぎ部分の両側における光の出力の違いは、液晶表示装置における画像の表示ムラの原因となる。【００１４】
また、図７に示す構造のカラーフィルタを用いた液晶表示装置には次のような問題もある。【００１５】
図８は、従来の液晶表示装置の概略構成の他の一例を示す断面図である。【００１６】
液晶表示装置の組み立て時には、ＴＦＴ基板９３の遮光部１００ｃの中心線とブラックマトリクス９５ｃの中心線とが一致するように基板同士の貼り合わせが行われるが、図４のように、組み立て誤差によって両者の中心線同士がずれてしまう場合がある。この場合、着色層９６ｃとブラックマトリクス９５ｃとの重なり部分と、着色層９７ｃとブラックマトリクス９５ｃとの重なり部分とでオーバーラップ幅がほぼ等しく形成されていても、遮光部１００ｃからのはみ出し幅Ｗ94及びＷ95が相違してしまう。そうすると、ブラックマトリクスの両側で光Ｌ93及びＬ94の出方が大きく異なり、画像の表示ムラの原因となる。また、組み立て誤差が更に大きくなった場合には、上端縁１１９ｃまたは１２９ｃが遮光部の遮光領域の外側にはみ出す場合も想定される。遮光領域の外側にはみ出た上端縁部分では、他の部分に比べて、光の透過性が顕著に変化するため、表示ムラの増大に繋がる。【００１７】
それ故に、本発明は、露光ヘッドの位置ずれや組み立て誤差による表示ムラがなく、表示品質に優れた液晶表示装置を提供することを目的とする。
【課題を解決するための手段】
【００１８】
本発明は、第１の方向及びこれと直交する第２の方向に複数の画素が配列される液晶表示装置に関するものである。液晶表示装置は、基板上に、遮光層と、少なくとも第１の方向において遮光層と部分的に重なる複数の着色層とが形成されたカラーフィルタと、遮光層と対向する位置において第２の方向に延びる複数の遮光部を有するＴＦＴ基板と、カラーフィルタとＴＦＴ基板との間に封入される液晶とを備える。着色層と遮光層とが第１の方向に重なることによって第２の方向に延びるリッジが形成され、リッジの少なくとも上端縁が遮光部によって遮光される。
【発明の効果】
【００１９】
本発明によれば、ブラックマトリクスと着色層との重なりにより形成されるリッジの上端縁が配線の背後に配置されて遮光されるため、露光時におけるフォトマスクの位置ずれや、組み立て誤差によって重なり部分の位置がずれた場合でも、リッジの上端縁に起因する光の出射ムラが発生せず、表示品質に優れた液晶表示装置を実現できる。
【図面の簡単な説明】
【００２０】
【図１】図１は、第１の実施形態に係る液晶表示装置の概略構成を示す断面図である。
【図２】図２は、他の例に係るリッジについて、上端縁の位置を説明する断面図である。
【図３】図３は、第２の実施形態に係る液晶表示装置の概略構成を示す断面図である。
【図４】図４は、実施例３に係る液晶表示装置の概略構成を示す断面図である。
【図５】図５は、比較例１に係る液晶表示装置の概略構成を示す断面図である。
【図６】図６は、カラーフィルタ製造工程における露光方法を示す模式図である。
【図７】図７は、従来の液晶表示装置の概略構成の一例を示す断面図である。
【図８】図８は、従来の液晶表示装置の概略構成の他の一例を示す断面図である。
【発明を実施するための形態】
【００２１】
（第１の実施形態）
図１は、本発明の第１の実施形態に係る液晶表示装置の概略構成を示す断面図であり、図２は、他の例に係るリッジについて、上端縁の位置を説明する断面図である。
【００２２】
第１の実施形態に係る液晶表示装置１ａは、Ｘ軸及びＹ軸方向に配列される複数の画素を有するものであり、互いに対向するように貼り合わされるカラーフィルタ２ａ及びＴＦＴ基板３ａと、これらの間に形成される隙間に封入される液晶（図示せず）とを備える。ＴＦＴ基板３ａの外面側（図１の上側）には、図示しない光源が配置される。
【００２３】
カラーフィルタ２ａは、基板４ａと、基板４ａ上に設けられるブラックマトリクス５ａと、各画素位置に形成される複数の着色層６ａ及び７ａとを含んでいる。着色層６ａ及び７ａは、Ｘ軸方向において、ブラックマトリクス５ａと部分的に重なる重なり部１１ａ及び１２ａをそれぞれ構成する。また、着色層６ａ及び７ａがブラックマトリクス５ａに重なることで、着色層が隆起したリッジ１８ａ及び２８ａが形成される（図の太線部分）。リッジ１８ａ及び２８ａの頂点は、各々Ｙ軸方向に連なることで線状の上端縁１９ａ及び２９ａを構成する。
【００２４】
尚、着色層６ａ及び７ａは、フォトリソグラフィー法によって基板４ａ上にコートしたフォトレジストをパターニングすることによって形成される。１色目（例えば、赤色）と２色目（例えば、緑色）の画素を小型のフォトマスクを複数用いる小型マスク連続露光方式（図６）で行い、３色目（例えば、青色）の画素をプロキシミティ露光方式で作成することができる。具体的には、図６で説明したように、小型マスク露光方式を用いて、基板４ａをＹ軸方向に搬送しながら、各露光ヘッドに装着されたフォトマスクの開口部パターンを常灯式光源によって連続的に転写する。この結果、１色目及び２色目の着色層がＹ軸方向に延びるストライプ状に形成される。尚、点滅式光源によって、フォトマスクの開口部パターンを間欠的に転写することで、ドット状の着色層を形状しても良い。その後、例えば、１枚のフォトマスクを用いたプロキシミティ露光方式によって、３色目の着色層を一括で形成する。尚、上記の赤、青及び緑色に加えて、４色目（例えば、黄色）の着色層を形成しても良い。
【００２５】
ここで、図２に示すように、着色層６と着色層７とは、ブラックマトリクス５上でＸ軸方向に部分的に重なり合うことがある。この場合でも、各着色層の上端縁は、遮光部によって遮光される必要がある。このように、着色層６と着色層７とが部分的に重なり合う場合でも、図１と同様に、基板４から着色層６表面までの距離が最大（Ｈ１）となる位置を上端縁１９とし、基板４から着色層７表面までの距離が最大（Ｈ２）となる位置を上端縁２９とする。
【００２６】
ＴＦＴ基板３ａは、複数の薄膜トランジスタ（図示せず）と、Ｙ軸方向に延びる複数の遮光部１０ａとを含む。遮光部１０ａは、薄膜トランジスタに接続される金属配線（ソース配線若しくはゲート配線またはその両方）が配置される領域である。
【００２７】
第１の実施形態では、ＴＦＴ基板３ａ上の遮光部１０ａの幅Ｗ１ａは、ブラックマトリクスの幅Ｗ２ａより狭く形成されているため、カラーフィルタ２ａ上の重なり部１１ａ及び１２ａには、遮光部１０ａによって遮光されない部分が存在する。しかし、上端縁１９ａ及び２９ａは、遮光部１０ａによって遮光されている。詳細には、上端縁１９ａ及び２９ａは、遮光部１０ａのＸ軸方向の端縁を基板４ａに投影したラインより内側に配置される。遮光部１０ａの幅Ｗ１ａと、上端縁１９ａ及び２９ａの間隔Ｗ３ａに差（Ｗ１ａ−Ｗ３ａ）が設けられているため、遮光部１０ａのＸ軸方向の端縁を基板４ａに投影したラインと、上端縁１９ａ及び２９ａとに、間隔Ｗ４ａ及びＷ５ａができる。
【００２８】
上記の構造を有する液晶表示装置１ａでも、各露光ヘッドの基板に対する位置合わせ精度等に起因する着色層の位置ずれが起こる場合がある。具体的には、一つの露光ヘッドで露光された第１の領域における着色層が形成される位置と、第１の領域に隣接する第２の領域（他の露光ヘッドで露光された領域）における着色層が形成される位置とが変動する。この結果、第１の領域の上端縁の位置と、第２の領域の上端縁の位置とが変動してしまう。また、カラーフィルタ２ａとＴＦＴ基板３ａとの貼り合わせ誤差に起因して、遮光部と上端縁とが位置ずれを起こす場合もある。
【００２９】
しかし、本実施形態に係る液晶表示装置１ａでは、遮光部１０ａの幅Ｗ１ａと上端縁１９ａ及び２９ａの間隔Ｗ３ａとに差（Ｗ１ａ−Ｗ３ａ）が設けられている。従って、上記の位置ずれをある程度許容し、上端縁１９ａ及び２９ａを遮光部１０ａによる遮光領域内に維持することができる。これによって、従来のように、上端縁を経由した光が表示画素に出力されることに起因する、画像の表示ムラの発生を効果的に抑制できる。
【００３０】
尚、上記の差（Ｗ１ａ−Ｗ３ａ）の値は８μｍ以上であることが好ましい。これは、各露光ヘッドの基板に対する位置合わせ精度等に起因する位置ずれを吸収するためには、４μｍ以上の差（Ｗ１ａ−Ｗ３ａ）を設ける必要があり、カラーフィルタ２ａとＴＦＴ基板３ａとの貼り合わせ時の位置ずれを吸収するためには、４μｍ以上の差（Ｗ１ａ−Ｗ３ａ）を設ける必要があるためである。
【００３１】
以上説明したように、第１の実施形態によれば、カラーフィルタ２ａ作製時の露光処理を小型マスク連続露光方式で行う場合に、露光ヘッドのつなぎ部分で位置ずれが生じたとしても、これに起因する画質の表示ムラが発生せず、表示品質に優れた液晶表示装置１ａを実現できる。
【００３２】
（第２の実施形態）
図３は、本発明の第２の実施形態に係る液晶表示装置の概略構成を示す断面図である。
【００３３】
第２の実施形態に係る液晶表示装置１ｂは、第１の実施形態に係る液晶表示装置に比べて、着色層とブラックマトリクスとの重なり部が遮光される範囲が異なる。具体的には、重なり部の全体が遮光部によって遮光される。
【００３４】
第２の実施形態では、遮光部１０ｂの幅Ｗ1ｂは、ブラックマトリクス５の幅Ｗ2ｂより大きく設定されており、重なり部１１ｂ及び１２ｂは遮光部１０ｂによって遮光される。詳細には、重なり部１１ｂ及び１２ｂは、遮光部１０ｂのＸ軸方向の端縁を基板４ｂに投影したラインより内側に配置される。また、遮光部１０ｂの幅Ｗ1ｂと、ブラックマトリクス５ｂの幅Ｗ2ｂとに差（Ｗ1ｂ−Ｗ２ｂ）が設けられているため、遮光部１０ｂのＸ軸方向の端縁を基板４ｂに投影したラインと、重なり部１１ｂ及び１２ｂとに、間隔Ｗ８及びＷ９ができる。
【００３５】
上記の構造を有する液晶表示装置１ｂでも、着色層６ｂ及び７ｂの露光時に生じた露光ヘッドの位置ずれに起因して重なり部１１ｂ及び１２ｂのオーバーラップ幅Ｗ６ｂ及びＷ７ｂが規定値より変動する場合が考えられる。しかしながら、本実施形態に係る液晶表示装置１ｂでは、重なり部１１ｂ及び１２ｂの全体が遮光部１０ｂの射影の内側に配置されて遮光されている。従って、重なり部１１ｂ及び１２ｂを経由した光の出方の差に起因する画像の表示ムラが発生することを回避できる。
【００３６】
また、遮光部１０ｂの幅Ｗ1ｂと、ブラックマトリクス５ｂの幅Ｗ２ｂとに差（Ｗ1ｂ−Ｗ２ｂ）が設けられている。この結果、カラーフィルタ２ｂとＴＦＴ基板３ｂとの貼り合わせ時の位置ずれをある程度許容し、重なり部１１ｂ及び１２ｂ全体を遮光部１０ｂによる遮光領域内に維持することができる。上記の差（Ｗ1ｂ−Ｗ２ｂ）の値は、組み立て誤差を考慮して、４μｍ以上であることが好ましく、また、遮光部の増加による開口率の低下を考慮して、８μｍ以下であることが好ましい。
【００３７】
第２の実施形態に係る液晶表示装置１ｂでは、遮光部１０ｂが重なり部１１ｂ及び１２ｂ全体を遮光している。従って、リッジの上端縁を経由する光の出力に起因する画像の表示ムラを防止するだけでなく、重なり部の幅の違いに起因する画像の表示ムラをも防止できる。この結果、第１の実施形態に係る液晶表示装置に比べて、より表示品質の良い液晶表示装置を提供することができる。
【００３８】
尚、上記の第１及び第２の実施形態では、遮光層としてブラックマトリクスを用いているが、特にこれに限定されず、例えば、基板上に形成される金属薄膜からなる電極層でも良い。
【実施例】
【００３９】
以下、本発明を具体的に実施した実施例について説明する。【００４０】
先述した小型マスク連続露光方式及びプロキシミティ露光方式を用いて、基板上に赤、青及び緑色の着色層を設けたカラーフィルタを作製した。また、ソース又はゲート配線からなる遮光部が基板上に設けられたＴＦＴ基板を作製した。この時、遮光部の幅、ブラックマトリクスの幅、及び、リッジの上端縁と遮光部の端縁を基板に投影したラインとの距離を、以下に示す実施例１〜３及び比較例に示す値として、各々液晶表示装置を作製した。そして、夫々の液晶表示装置の画像の表示ムラを目視観察し、「◎：表示ムラが発生しなかった、○：表示ムラはほとんど発生しなかった、×：表示ムラが発生した」で評価した。評価結果を表１に示す。尚、遮光部の幅、ブラックマトリクスの幅、及び、リッジの上端縁と遮光部端縁との距離は、全てＸ軸方向の値である。また、実施例１〜３では、リッジの上端縁は遮光部によって遮光される領域に配置されており、比較例１では、リッジの上端縁は遮光部によって、遮光されない領域に配置されている。【００４１】
（実施例１）
実施例１に係る液晶表示装置は、図３に示した構造を有する。ここで、遮光部の幅（Ｗ１ａ）を２２μｍ、ブラックマトリクスの幅（Ｗ２ａ）を１６μｍ、リッジの上端縁と遮光部１０の端縁を基板に投影したラインとの距離（Ｗ４ａ及びＷ５ａ）を４μｍ（上端縁は遮光部の内側に位置する）とした。【００４２】
（実施例２）
実施例２に係る液晶表示装置は、図１に示した構造を有する。ここで、遮光部の幅（Ｗ１ｂ）を１８μｍ、ブラックマトリクス（Ｗ２ｂ）の幅を２８μｍ、リッジの上端縁と遮光部１０の端縁を基板に投影したラインとの距離（Ｗ４ｂ及びＷ５ｂ）を４μｍとした。【００４３】
（実施例３）
実施例３に係る液晶表示装置は、図４に示した構造を有する。ここで、遮光部の幅（Ｗ１ｃ）を２２μｍ、ブラックマトリクスの幅（Ｗ２ｃ）を２２μｍ、リッジの上端縁と遮光部１０の端縁を基板に投影したラインとの距離（Ｗ４ｃ及びＷ５ｃ）を４μｍとした。【００４４】
（比較例）
比較例に係る液晶表示装置は、図５に示した構造を有する。ここで、遮光部の幅（Ｗ１ｄ）を１８μｍ、ブラックマトリクスの幅（Ｗ２ｄ）を２８μｍ、リッジの上端縁と遮光部１０の端縁を基板に投影したラインとの距離（Ｗ４ｄ及びＷ５ｄ）を−４μｍ（上端縁は遮光部の外側に位置する）とした。【００４５】
【表１】
2010125824.tif 000003
【００４６】
表１の結果より、リッジの少なくとも上端縁が遮光部によって遮光されている実施例１〜３では、液晶表示装置の画像の表示ムラがほとんど発生しなくなり、液晶表示装置の表示品質が改善した。また、重なり部全体が遮光されている実施例１は、表示品質がより大きく改善された。
【産業上の利用可能性】
【００４７】
本発明は、カラーフィルタを備えた液晶表示装置等に利用できる。
【符号の説明】
【００４８】
１ａ、１ｂ  液晶表示装置
２ａ、２ｂ  カラーフィルタ
３ａ、３ｂ  ＴＦＴ基板
４ａ、４ｂ  基板
５ａ、５ｂ  ブラックマトリクス
６ａ、６ｂ、７ａ、７ｂ  着色層
９ａ、９ｂ  基板
１０ａ、１０ｂ  遮光部
１１ａ、１１ｂ、１２ａ、１２ｂ  重なり部
１８ａ、１８ｂ、２８ａ、２８ｂ  リッジ
１９ａ、１９ｂ、２９ａ、２９ｂ  上端縁
【図１】
2010125824.tif 000004
【図２】
2010125824.tif 000005
【図３】
2010125824.tif 000006
【図４】
2010125824.tif 000007
【図５】
2010125824.tif 000008
【図６】
2010125824.tif 000009
【図７】
2010125824.tif 000010
【図８】
2010125824.tif 000011
【手続補正書】
【提出日】平成23年10月24日(2011.10.24)
【手続補正１】
【補正対象書類名】明細書
【補正対象項目名】００１２
【補正方法】変更
【補正の内容】
【００１２】
次に、つなぎ部分（二点鎖線）より右側の画素領域においても、基板９４上の各画素位置に形成される着色層９６ｂ及び９７ｂは、いずれもブラックマトリクス９５ｂと部分的に重なり合うように形成されている。同様に着色層９６ｂ及び９７ｂがブラックマトリクス９５ｂに重なることで、各々、上端縁１１９ｂを頂点とするリッジ１１８ｂと、上端縁１２９ｂを頂点とする１２８ｂとが形成される。着色層９６ｂとブラックマトリクス９５ｂとの重なり部分のオーバーラップ幅はつなぎ部分より左側の画素領域と同様にＷ91であるが着色層９７ｂを露光する際に露光ヘッドの位置ずれが生じたため、着色層９７ｂとブラックマトリクス９５ｂとの重なり部分のオーバーラップ幅はＷ93（＜Ｗ92）である。更に、上端縁１２９ｂが遮光部１００ｂに遮光される領域の外側に位置している。
【手続補正２】
【補正対象書類名】明細書
【補正対象項目名】００１３
【補正方法】変更
【補正の内容】
【００１３】
着色層とブラックマトリクスとの重なり部分のオーバーラップ幅がつなぎ部分の両側で異なる場合、つなぎ部分の左側を透過する光Ｌ91と右側を透過する光Ｌ92との出方が異なる。更に、上端縁１２９ｂが遮光部の遮光領域の外側に位置する場合、光Ｌ92は上端縁１２９ｂを経由する。この結果、つなぎ部分の左側を透過する光Ｌ91と右側を透過する光Ｌ92との出方の差は更に大きくなる。このつなぎ部分の両側における光の出力の違いは、液晶表示装置における画像の表示ムラの原因となる。
【手続補正３】
【補正対象書類名】明細書
【補正対象項目名】００１６
【補正方法】変更
【補正の内容】
【００１６】
液晶表示装置の組み立て時には、ＴＦＴ基板９３の遮光部１００ｃの中心線とブラックマトリクス９５ｃの中心線とが一致するように基板同士の貼り合わせが行われるが、図８のように、組み立て誤差によって両者の中心線同士がずれてしまう場合がある。この場合、着色層９６ｃとブラックマトリクス９５ｃとの重なり部分と、着色層９７ｃとブラックマトリクス９５ｃとの重なり部分とでオーバーラップ幅がほぼ等しく形成されていても、遮光部１００ｃからのはみ出し幅Ｗ94及びＷ95が相違してしまう。そうすると、ブラックマトリクスの両側で光Ｌ93及びＬ94の出方が大きく異なり、画像の表示ムラの原因となる。また、組み立て誤差が更に大きくなった場合には、上端縁１１９ｃまたは１２９ｃが遮光部の遮光領域の外側にはみ出す場合も想定される。遮光領域の外側にはみ出た上端縁部分では、他の部分に比べて、光の透過性が顕著に変化するため、表示ムラの増大に繋がる。
【手続補正４】
【補正対象書類名】明細書
【補正対象項目名】００４５
【補正方法】変更
【補正の内容】
【００４５】
【表１】
2010125824.tif 000012
【手続補正５】
【補正対象書類名】特許請求の範囲
【補正対象項目名】全文
【補正方法】変更
【補正の内容】
【特許請求の範囲】
【請求項１】
第１の方向及びこれと直交する第２の方向に複数の画素が配列される液晶表示装置であって、
基板に、遮光層と、少なくとも前記第１の方向において前記遮光層と部分的に重なる複数の着色層とが形成されたカラーフィルタと、
前記遮光層と対向するように配置され、前記第２の方向に延びる複数の遮光部を有するＴＦＴ基板と、
前記カラーフィルタと前記ＴＦＴ基板との間に封入される液晶とを備え、
前記着色層と前記遮光層とが前記第１の方向に重なることによって前記第２の方向に延びるリッジが形成され、
前記リッジの少なくとも上端縁が遮光部によって遮光される、液晶表示装置。
【請求項２】
前記着色層と前記遮光層とが前記第１の方向において重なり合う部分の全体が前記遮光部によって遮光される領域に設けられる、請求項１に記載の液晶表示装置。
【請求項３】
前記第１の方向における前記遮光部の幅が前記第１の方向における前記遮光層の幅より大きい、請求項１に記載の液晶表示装置。
【請求項４】
前記第１の方向における前記遮光部の幅と前記第１の方向における前記遮光層の幅との差が、４μｍ以上、かつ、８μｍ以下である、請求項３に記載の液晶表示装置。
【請求項５】
所定数の画素列を含む第１の領域では、第１の重なり幅で、前記着色層と前記遮光層とが前記第１の方向に重なり、
前記第１の領域と前記第１の方向に隣接し、所定数の画素列を含む第２の領域では、前記第１の重なり幅と異なる第２の重なり幅で、前記着色層と前記遮光層とが前記第１の方向に重なる、請求項１に記載の液晶表示装置。
【請求項６】
前記第１の方向における前記遮光部の幅と、前記遮光部によって遮光されている一対のリッジの上端縁の間隔との差が８μｍ以上である、請求項１に記載の液晶表示装置。
【請求項７】
前記遮光層の厚みが前記第１の方向の外側に向かうにつれて減少する、請求項１に記載の液晶表示装置。
【国際調査報告】
2010125824.tif 000013
2010125824.tif 000014
2010125824.tif 000015
2010125824.tif 000016